(57)【特許請求の範囲】
【請求項１】
１以上のプロセッサにより実行される、広告コンテンツを提供する方法において、前記方法が、
ネットワークリソースと同時のプレゼンテーションのためにシード広告コンテンツアイテムを提供するステップであって、前記シード広告コンテンツアイテムはシード売買対象品のシード画像を含むものであるステップ、
前記シード広告コンテンツアイテムとのユーザの対話に応答して、追加の商品コンテンツアイテムの第１のセットを選択するステップであって、前記追加の商品コンテンツアイテムの第１のセットのそれぞれは、対応する売買対象品の画像を含み、前記追加の商品コンテンツアイテムの第１のセットのそれぞれは、前記対応する売買対象品の前記シード売買対象品との外観の類似性に基づいて選択されるものであるステップ、
前記ネットワークリソースと同時に、特徴のセットを含む二次プレゼンテーションを提供するステップであって、前記特徴のセットは、前記追加の商品コンテンツアイテムの第１のセットを含むものであるステップ、
前記二次プレゼンテーションとの対話により、前記ユーザによる１以上の追加の商品コンテンツアイテムの第１のセットのいずれか１つの選択を可能にするステップ、および
前記二次プレゼンテーションを前記ネットワークリソースと同時に提供しながら、１以上の前記追加の商品コンテンツアイテムの第１のセットを１以上の新規な商品コンテンツアイテムに置き換えることにより、前記二次プレゼンテーションとの前記ユーザの対話に応答するステップを含み、
前記１以上の新規な商品コンテンツアイテムは、前記追加の商品コンテンツアイテムの第1のセットのうちの前記選択された１つから決定された規準を満たすものであることを特徴とする方法。
【請求項２】
前記追加の商品コンテンツアイテムの第１のセットを選択するステップが、前記追加の商品コンテンツアイテムの第１のセットを含む商品コンテンツアイテムの集合を含むデータベースの検索を実行するステップを含み、
前記検索を実行するステップが、前記シード広告コンテンツアイテムとのユーザの対話に応答して、前記シード広告コンテンツアイテムから規準を識別するステップを含むことを特徴とする請求項１に記載の方法。
【請求項３】
前記追加の商品コンテンツアイテムの第１のセットが、前記検索の実行により生成される検索結果から識別されることを特徴とする請求項２に記載の方法。
【請求項４】
前記規準を識別するステップが、前記シード画像のサインを使用するステップを含み、前記追加の商品コンテンツアイテムの第１のセットを選択するステップが、前記シード画像の前記サインを、少なくとも前記追加の商品コンテンツアイテムの第１のセットの特定の第１画像のサインと比較するステップを含むことを特徴とする請求項３に記載の方法。
【請求項５】
前記規準を識別するステップが、前記シード広告コンテンツアイテムと関連するテキストまたはメタデータを識別するステップを含み、前記追加の商品コンテンツアイテムの第１のセットを選択するステップが、前記テキストまたは前記メタデータの内の少なくとも１つを用いるステップを含むことを特徴とする請求項３に記載の方法。
【請求項６】
選択された前記追加の商品コンテンツアイテムの第１のセットの１つとの前記ユーザの対話に応答して、追加の商品コンテンツアイテムの第２のセットを提供するステップであって、前記追加の商品コンテンツアイテムの第２のセットのそれぞれは、第２の売買対象品の第２の画像を含み、前記追加の商品コンテンツアイテムの第２のセットのそれぞれは、前記第２の売買対象品の、前記選択された追加の商品コンテンツアイテムの第１のセットの１つの前記対応する売買対象品との外観の類似性に基づいて識別されるステップをさらに含むことを特徴とする請求項１に記載の方法。
【請求項７】
前記二次プレゼンテーションを提供するステップが、前記二次プレゼンテーションを前記ネットワークリソースのコンテンツに統合するステップを含むことを特徴とする請求項１に記載の方法。
【請求項８】
前記二次プレゼンテーションが、ウエブページまたはオーバーレイの１つに対応することを特徴とする請求項７に記載の方法。
【請求項９】
１以上のプロセッサにより実行される、広告コンテンツを提供する方法において、前記方法が、
ネットワークリソースとともに提示されるシード広告コンテンツアイテムを提供するステップであって、前記シード広告コンテンツアイテムは、第１の売買対象品の第１の画像を含むものであるステップ、
前記第１の画像における前記第１の売買対象品の外観に少なくともある程度基づく検索規準を決定するステップ、
前記検索規準を満たす複数の売買対象品の画像からなる検索結果を識別するステップ、
前記検索結果を前記ネットワークリソースとともに二次プレゼンテーションとして提供するステップ、
前記二次プレゼンテーションとの対話により、ユーザによる前記複数の売買対象品の画像のいずれか１つの選択を可能にするステップ、および
前記二次プレゼンテーションを前記ネットワークリソースとともに提供しながら、１以上の前記複数の売買対象品の画像を１以上の新規な売買対象品の画像に置き換えることにより、前記二次プレゼンテーションの一部との前記ユーザの対話に応答するステップを含み、
前記１以上の新規な売買対象品の画像は、前記複数の売買対象品の画像のうちの前記選択された１つから決定された規準を満たすものであることを特徴とする方法。
【請求項１０】
前記二次プレゼンテーションが、ウエブページ、ウェブページのコンポーネントまたはオーバーレイの１つに対応することを特徴とする請求項９に記載の方法。
【請求項１１】
前記二次プレゼンテーションに含まれる前記複数の画像のいずれかの前記ユーザによる選択を可能にするステップをさらに含み、
前記二次プレゼンテーションの一部との前記ユーザの対話に応答するステップが、前記選択された前記複数の画像の１つから決定された規準を満たす、少なくとも１以上の追加の売買対象品の画像を含めるための追加の検索を実行するステップを含むことを特徴とする請求項９に記載の方法。
【請求項１２】
命令が格納されているコンピュータ読出可能媒体において、前記命令が、１以上のプロセッサによって実行されると、
ネットワークリソースとともに提示されるシード広告コンテンツアイテムを提供するステップであって、前記シード広告コンテンツアイテムは、第１の売買対象品の第１の画像を含むものであるステップ、
前記第１の画像における前記第１の売買対象品の外観に少なくともある程度基づく検索規準を決定するステップ、
前記検索規準を満たす複数の売買対象品の画像からなる検索結果を識別するステップ、
前記検索結果を前記ネットワークリソースとともに二次プレゼンテーションとして提供するステップ、
前記二次プレゼンテーションとの対話により、ユーザによる前記複数の画像のいずれか１つの選択を可能にするステップ、および
前記二次プレゼンテーションを前記ネットワークリソースとともに提供しながら、１以上の前記複数の売買対象品の画像を１以上の新規な売買対象品の画像に置き換えることにより、前記二次プレゼンテーションの一部との前記ユーザの対話に応答するステップを含む動作を前記１以上のプロセッサに実施させる命令を含み、
前記１以上の新規な売買対象品の画像は、前記複数の画像のうちの前記選択された１つから決定された規準を満たすものであることを特徴とするコンピュータ読出可能媒体。
【請求項１３】
前記二次プレゼンテーションが、ウエブページ、ウェブページのコンポーネントまたはオーバーレイの１つに対応することを特徴とする請求項１２に記載のコンピュータ読出可能媒体。
【請求項１４】
前記二次プレゼンテーションに含まれる前記複数の画像のいずれかの前記ユーザによる選択を可能にするステップを実行させる命令をさらに含み、
前記二次プレゼンテーションの一部との前記ユーザの対話に応答するステップを実行させる命令が、前記選択された前記複数の画像の１つから決定された規準を満たす、少なくとも１以上の追加の売買対象品の画像を含めるための追加の検索を実行するステップを含むことを特徴とする請求項１２に記載のコンピュータ読出可能媒体。
【請求項１５】
１以上のプロセッサと、
該１以上のプロセッサに接続された、命令が格納されたメモリとを備え、
前記命令が、前記１以上のプロセッサによって実行されると、
ネットワークリソースとともに提示されるシード広告コンテンツアイテムを提供するステップであって、前記シード広告コンテンツアイテムは、売買対象品の画像を含むものであるステップ、
前記シード広告コンテンツアイテムとのユーザの対話に応答して、追加の商品コンテンツアイテムの第１のセットを選択するステップであって、前記追加の商品コンテンツアイテムの第１のセットのそれぞれは、対応する売買対象品の画像を含み、前記追加の商品コンテンツアイテムの第１のセットのそれぞれは、前記対応する売買対象品の前記シード売買対象品との外観の類似性に基づいて選択されるものであるステップ、
前記ネットワークリソースと同時に、特徴のセットを含む二次プレゼンテーションを提供するステップであって、前記特徴のセットは、前記追加の商品コンテンツアイテムの第１のセットを含むものであるステップ、
前記二次プレゼンテーションとの対話により、前記ユーザにより１以上の追加の商品コンテンツアイテムの第１のセットのうちのいずれか１つの選択を可能にするステップ、および
前記二次プレゼンテーションを前記ネットワークリソースと同時に提供しながら、１以上の前記追加の商品コンテンツアイテムの第１のセットを１以上の新規な商品コンテンツアイテムに置き換えることにより、前記特徴のセットにおけるある特徴との前記ユーザの対話に応答するステップを前記１以上のプロセッサに実施させる命令を含み、
前記１以上の新規な商品コンテンツアイテムは、前記追加の商品コンテンツアイテムの第１のセットのうちの前記選択された１つから決定された規準を満たすものであることを特徴とするシステム。
【請求項１６】
前記１以上のプロセッサが、前記追加の商品コンテンツアイテムの第１のセットを含む商品コンテンツアイテムの集合を含むデータベースの検索を実行することにより、前記追加の商品コンテンツアイテムの第１のセットを認識し、
前記１以上のプロセッサが、前記シード広告コンテンツアイテムとのユーザの対話に応答して、前記シード広告コンテンツアイテムから規準を識別することにより、前記検索を実行することを特徴とする請求項１５記載のシステム。
【請求項１７】
前記追加の商品コンテンツアイテムの第１のセットが、前記検索の実行により生成される検索結果から識別されることを特徴とする請求項１６に記載のシステム。
【請求項１８】
前記１以上のプロセッサが、前記シード画像のサインを使用することにより前記規準を識別し、
前記追加の商品コンテンツアイテムの第１のセットが、前記シード画像の前記サインを、少なくとも前記追加の商品コンテンツアイテムの第１のセットの特定の第１画像のサインと比較するステップを含むことを特徴とする請求項１６に記載のシステム。
【発明の詳細な説明】
【関連出願の説明】
【０００１】
本出願は、２００８年７月１４日に出願された、名称を「関心がもたれる別のコンテンツアイテムを識別するための検索規準に対して補足コンテンツアイテムを用いるためのシステム及び方法(SYSTEM AND METHOD FOR USING SUPPLEMENTAL CONTENT ITEMS FOR SEARCH CRITERIA FOR IDENTIFYING OTHER CONTENT ITEMS OF INTEREST)」とする、米国仮特許出願第６１/０８０６８０号の優先権の恩典を主張する。上記優先出願の明細書はその全体が本明細書に参照として含まれる。
【技術分野】
【０００２】
本発明はウエブプレゼンテーションに関し、特にプレゼンテーション上の補足コンテンツアイテムの別のコンテンツアイテムを識別するための検索規準としての使用に関する。
【背景技術】
【０００３】
デジタル写真は非常に重要な民生アプリケーションになっている。デジタル写真は個人によるデジタル画像の取込み及び共有を簡便にした。デジタル画像を取り込むデバイスは安価になり、一つの場所から別の場所へ画像を送ることができる能力はネットワーク帯域幅拡大の趨勢における駆動力の１つであった。
【０００４】
メモリが比較的安価であり、デジタル画像を見ることができるデバイス及びプラットフォームを利用できることから、平均的な消費者はほとんどのデジタル画像を、ハードディスク、ＣＤＲＯＭ及びフラッシュメモリのような、コンピュータ読出可能媒体上に保持している。デジタル画像を整理し、見る上でユーザを補助するためのアプリケーションがつくられているが、ファイルホルダの使用が整理の主なよりどころになっている。
【発明の概要】
【発明が解決しようとする課題】
【０００５】
本発明の課題は、ウエブプレゼンテーション上の補足コンテンツアイテムを別のコンテンツアイテムを識別するための検索規準として使用する手法を提供することである。
【課題を解決するための手段】
【０００６】
本明細書に説明される実施形態は、広告メディア(例えば、バナー、ダイナミックメディア)のような補足コンテンツが追加の補足コンテンツのための検索規準も兼ねることを可能にする。一実施形態において、広告メディア及び販促コンテンツのような補足コンテンツは、追加の非常に適切な補足コンテンツをユーザに提供することができるシードとして提示することができる。非常に適切な補足コンテンツはシード補足コンテンツの画像コンテンツ(及びテキスト及び／またはメタデータ)によって生成されるか、またはこれらに関連付けられた、規準から決定することができる。さらに、追加補足コンテンツはユーザの関心をとらえる態様でユーザに提供することができる。
【０００７】
一実施形態において、ユーザは補足コンテンツアイテムに関する情報を見るために選択することができる。通常の手法にしたがえば、ブラウザまたはその他のアプリケーションを介して補足コンテンツアイテムを見るためのユーザの選択の結果、ユーザが見ていたウエブページから補足コンテンツアイテムのオブジェクトまたは主題に関する情報を有する(例えば、補足コンテンツアイテムに表示されているオブジェクトを購入することができる)サイトにユーザのブラウザを誘導することになり得る。そのような従来の手法とは対照的に、本明細書に説明される実施形態は、(ｉ)選択された補足コンテンツアイテムに含まれるコンテンツまたは情報に基づく検索操作の性能及び(ii)元の補足コンテンツアイテムから識別される規準に一致するかまたはそのような規準を満たす別のデータアイテムのプレゼンテーション、を改善するためにユーザが補足コンテンツアイテムを選択することができるかまたはそうではなくとも補足コンテンツアイテムと対話することができる態様を提供する。
【０００８】
一実施形態において、一致補足コンテンツアイテムのプレゼンテーションは共通ページ上または、そうではなくとも、ユーザが選択したかまたはそうではなくとも関心があると見なされた元のコンテンツアイテムに関してより多くの情報をユーザが入手できるようにするであろう領域上に提供される。すなわち、一致補足コンテンツアイテムは、元々選択されていたコンテンツアイテムへのユーザの関心を維持しながらユーザに提示される。
【０００９】
さらにまた、１つないしさらに多くの実施形態は、一致補足コンテンツアイテムに対する検索操作を実施する際に、ビジュアルベースまたは画像ベースの検索の使用を提供する。一実施形態において、ユーザが本来選択していた補足コンテンツアイテムの主題／オブジェクトにビジュアルベースで一致する補足コンテンツアイテムを表示する、「ランディング」プレゼンテーションまたは「ランディング」ページがユーザに表示される。一実施形態において、ランディングプレゼンテーションは検索結果に対応するコンテンツを含むプレゼンテーションに対応し、この場合、見られている別のページとは独立にまたはその後にコンテンツが生成される。プレゼンテーションのタイプの例には、ウエブプレゼンテーションのページ、オーバーレイまたはその他の形態がある(しかし、数多くの例では別個のページとして挙げられる)。
【００１０】
別の実施形態にしたがえば、補足コンテンツアイテムは、ユーザが関心をもつかも知れない追加補足コンテンツ(例えば広告メディア及び販促コンテンツ)を含む検索結果を生成させるように、その選択がプログラムによる作業でコード化またはシード化(「シードコンテンツアイテム」形態に)される。したがって、一実施形態の下で、シード広告メディアの選択の結果、検索操作が行われ、検索結果のプレゼンテーションが示される。プレゼンテーションは、シード補足コンテンツアイテムに関する追加情報を含むこともできる。一実施形態において、追加補足コンテンツは、そうでなければ本来選択されていたコンテンツアイテムによって提供される、さらに詳細な情報とともに提示される。すなわち、例えば、ウエブページ上の広告の画像またはリンクを選択して、本来の選択に関する詳細情報、及び本来の選択から識別される規準に「一致する」とプログラム上見なされる、複数の追加コンテンツアイテムを含む、新しい「ランディングページ」がユーザに提供され得る。ランディングページは必要に応じて−ランディングページが(ｉ)ユーザがそのページから選択するとリフレッシュされ得る、(ii)ユーザがそのページから選択すると新しいランディングページを生成するために用いられる、または(iii)ランディングページから選択されるアイテムを購入するためのｅ-コマースサイトへのユーザの誘導を可能にすることを意味する−さらなる誘導を可能にするために提供され得る。さらに、ランディングページはオーバーレイとして、または元の関心があるアイテムを含むウエブページの既存の統合領域として、提供され得る。
【００１１】
本明細書に提供される説明により数多くのその他の実施形態が明らかになるであろう。
【図面の簡単な説明】
【００１２】
【図１】図１は本発明の一実施形態の簡略なブロック図である。
【図２Ａ】図２Ａは本明細書に説明される１つないしさらに多くの実施形態を可能にするためのシステムを示す。
【図２Ｂ】図２Ｂは図２Ａで説明されるような実施形態を実施するためのコンピュータハードウエアを示す。
【図３】図３は、一実施形態にしたがう、補足コンテンツアイテムの提供に関連して用いられるべき検索操作を可能にする方法を示す。
【図４】図４は、本明細書に説明される１つないしさらに多くの実施形態にしたがう、ランディングページの実施形態を示す。
【図５】図５は、一実施形態にしたがう、購入時にユーザに商品アイテムを推奨する方法を示す。
【図６】図６は、１つないしさらに多くの実施形態にしたがう、ユーザに商品コンテンツアイテムを推奨する方法を示す。
【図７】図７はウエブ商人のための店頭としてはたらくウエブページとともに生成されるプレゼンテーションを示す。
【発明を実施するための形態】
【００１３】
用語
本明細書に用いられるように、語句「画像データ」は取り込まれた画像の個別部分に対応するかまたはそれに基づくデータを意味するとされる。例えば、ＪＰＥＧフォーマットで提供される画像のような、デジタル画像により、画像データは、画像を形成するピクセルに関するデータまたは情報に、あるいは画像のピクセルから決定されるデータまたは情報に、対応することができる。「画像データ」の別の例は、オブジェクトの分類またはアイデンティティを、また総体的または局所的な特徴も、表すサインまたはその他の非テキストデータである。
【００１４】
語句「認識する」または「認識」あるいはこれらの同義語は、画像または画像データの文脈(例えば「画像を認識する」)において、画像が何に相関するか、何を表すか、何を識別するか、何を意味するかについて、及び／または画像によって与えられる文脈について、決定がなされることを意味すると解される。名称の識別にはさらに相関工程が必要となり得るから、認識は、明白に言明されていない限り、名称によるアイデンティティの決定を意味しない。
【００１５】
本明細書に用いられるように、語句「プログラムによる」または「プログラムによって」、あるいはこれらの同義語は、コード、プログラミングまたはその他のロジックの一貫した実行を意味する。プログラムによる作業は、ソフトウエア、ファームウエアまたはハードウエアによって、一般にユーザの介在無しに、実行することができるが、作業の起動は手動でなされ得るから、必ずしも自動的ではない。
【００１６】
本明細書に説明される１つないしさらに多くの実施形態は、モジュールまたはコンポーネントと称されることが多いが、別の名称を用いることもできる、プログラムによる要素を用いて実施することができる。そのようなプログラムによる要素には、プログラム、サブルーチン、プログラムの一部、あるいは１つないしさらに多くの言明されたタスクまたは機能を実行することができるソフトウエアコンポーネントまたはハードウエアコンポーネントを含めることができる。本明細書に用いられるように、モジュールまたはコンポーネントは他のモジュール／コンポーネントとは独立にハードウエアコンポーネント上に存在することができ、あるいはモジュール／コンポーネントは他のモジュール／コンポーネント、プログラムまたはマシンとの共有要素または共有プロセスとすることができる。モジュールまたはコンポーネントは、クライアントまたはサーバのような、１つのマシンの上に常駐することができ、あるいはモジュール／コンポーネントは、マルチクライアントマシンまたはマルチサーバマシンのように、複数のマシンの間で分散させることができる。説明されるいかなるシステムもサーバ上に全部または一部を実装することができ、あるいはネットワークサービスの一部として実装することができる。あるいは、本明細書に説明されるようなシステムは、全部または一部を、ローカルコンピュータまたは端末上に実装することができる。いずれの場合も、本アプリケーションのために提供されるシステムの実装には、そうではないことが言明されない限り、メモリ、プロセッサ及び(データポート及び(光、電気、等の)信号線路を含む)ネットワークリソースが必要になり得る。
【００１７】
本明細書に説明される実施形態には一般に、処理リソース及びメモリリソースを含む、コンピュータの使用が必要である。例えば、本明細書に説明されるシステムはサーバまたはネットワークサービス上に実装することができる。そのようなサーバはインターネットのようなネットワークを介して、あるいはセル式ネットワーク及びインターネットのような、ネットワークの組合せによって、接続してユーザが使用することができる。あるいは、本明細書に説明される１つないしさらに多くの実施形態は、全部または一部を、デスクトップコンピュータ、セル式電話、電子手帳またはラップトップコンピュータのような、コンピュータ上にローカルに実装することができる。すなわち、メモリリソース、処理リソース及びネットワークリソースは全て、本明細書に説明されるいかなる実施形態の確立、使用または実施(いかなる方法の実施またはいかなるシステムの実装もふくめて)とともに用いることができる。
【００１８】
さらに、本明細書に説明される１つないしさらに多くの実施形態は、１つないしさらに多くのプロセッサによる実行が可能な命令の使用によって実施することができる。そのような命令はコンピュータ読出可能媒体上で伝えることができる。以下で図に示されるマシンは、本発明の実施形態を実施するための命令を伝え、及び／または実行することができる処理リソース及びコンピュータ読出可能媒体の例を提供する。特に、本発明の実施形態によって示される多くのマシンは、プロセッサ及び、データ及び命令を保持するための、様々な形態のメモリを備える。コンピュータ読出可能媒体の例には、パーソナルコンピュータまたはサーバ上のハードディスクのような、据置型記憶格納デバイスがある。コンピュータ格納媒体の他の例には、ＣＤまたはＤＶＤユニット、(多くのセル式電話及び電子手帳(ＰＤＡ)に載せられている)フラッシュメモリ、及び磁気メモリのような携帯型格納ユニットがある。コンピュータ、端末、ネットワーク動作デバイス(例えば、セル式電話のようなモバイルデバイス)は全て、プロセッサ、メモリ及びコンピュータ読出可能媒体上に格納された命令を利用する、マシン及びデバイスの例である。
【００１９】
システム概要
図１は本発明の一実施形態の簡略なブロック図である。ウエブページのような、ネットワークリソース１１０がユーザのウエブ閲覧途中でユーザに表示され得る。ウエブページ上には、バナー広告、オーバーレイ、ダイナミックメディアアイテム及び／またはスポンサードリンクのような、補足コンテンツアイテム１２０が提供されることがある。ユーザは補足コンテンツアイテム１２０と対話することができる。ユーザの補足コンテンツアイテムとの対話１２５から検索規準１３０が生成される。いくつかの実施形態において、ユーザの対話はユーザがアイテムをクリックする形態であり得る。他の実施形態は、ユーザが補足コンテンツアイテム１２０上でグラフィックポインタをホバリングさせるような、別のユーザ対話形態を検出することができる。さらにまた、いくつかの実施形態では補足コンテンツアイテム１２０との直接のユーザ対話は必要とされない。ユーザがウエブページを見るだけ、あるいは別のアイテムと対話するだけで、検索規準１３０の生成をトリガするに十分である。一実施形態にしたがえば、検索規準は、ある程度は、補足コンテンツアイテム１２０のビジュアルコンテンツまたは画像コンテンツに基づく。追加形態または別形態として、テキストまたはメタデータのような、補足コンテンツの別の特徴も用いられ得る。画像コンテンツに関し、規準には、(ｉ)補足コンテンツアイテムの画像コンテンツに現れるオブジェクトのサイン、ここでサイン、は(形状、色またはパターン等を含む)オブジェクトの複数の特徴の多くの数量化表示である、(ii)補足コンテンツアイテム１２０に現れる１つないしさらに多くの主要な色、及び／または(iii)画像に現れるオブジェクトの形状、の内の１つないしさらに多くを含めることができる。アプリケーションにおいて、例えば、選択されたアイテムのパターンまたは色を、同様の色またはパターンを含む(必要に応じて別のカテゴリーの)別のオブジェクトを識別するために用いることができる(例えば、関心のあるアイテムが靴であれば、同様の色のベルトを表示することができる)。同様に、選択されたアイテムの形状を同様の形状のオブジェクトを識別する(例えば、同じスタイルの靴を合わせる)ために用いることができる。画像認識(及び、必要に応じて、テキスト／メタデータ解析)を用いれば、さらに包括的な一致が得られる。
【００２０】
いくつかの実施形態において、規準は補足コンテンツアイテム１２０に前もって関連付けられたデータに対応するかまたはそのようなデータに基づくことができる。米国特許出願第１１/７７７０７０号、第１１/７７７８９４号、第１１/９３６７０５号及び第１１/５４３７５８号の各明細書、及び米国特許第７５１９２００号明細書(これらの明細書は全てそれぞれの全体が本明細書に参照として含まれる)に説明されているような画像解析プロセスを、(ｉ)補足コンテンツアイテムの画像を解析するため、(ii)補足コンテンツアイテムの画像に現れるオブジェクトのタイプまたは分類を決定するため、(iii)例えば、形状、色、局所的ビジュアル特徴及び総体的ビジュアル特徴を数量化するビジュアル特性を決定するために用いることができる。補足コンテンツアイテム１２０に関する情報を決定するために他の画像解析プロセスまたは解析を実施することができる。さらに、以下で説明されるように、検索規準をそれらから決定または生成することができる追加データを生成するために補足コンテンツアイテム１２０とともに現れるテキスト及び／またはメタデータに解析を施すことができる。そのようなテキスト／メタデータの解析により、画像解析を補強することもできる(例えば、オブジェクトのカテゴリーを決定するためにテキストを用いることができる)。
【００２１】
したがって、一実施形態においては、上述の解析のいくらかまたは全てが識別のために前もって処理される。例えば、規準を補足コンテンツアイテムに関連付けるかまたは規準に補足コンテンツアイテムでタグを付けることができる。あるいは、規準のいくらかまたは全てを、ユーザ対話あるいは何か別のイベントまたは状況に応答して、その場で動的に決定することができる。
【００２２】
追加形態または別形態として、検索規準１３０はテキスト規準１３４またはメタデータ規準１３６を含むことができる。テキスト規準１３４は、例えば、補足コンテンツアイテム１２０に現れるキーボードに対応することができる。メタデータ規準１３６は、コンテンツアイテムに現れるとは限らないがコンテンツアイテムに関連付けられている、様々な情報に対応することができる。例には、補足コンテンツアイテムの発行元、補足コンテンツアイテムに与えられたタグ、補足コンテンツアイテムに関係付けられているかまたは補足コンテンツアイテムとともに提示される(表示されたページ１１０のリンクを含む)リンクから抽出または識別される単語または文字がある。すなわち、検索規準１３０は、画像コンポーネント、テキストコンポーネント及び／またはメタデータコンポーネントを含む、１つより多くのコンポーネントを含むことができる。規準を最善に満たすと見なされるコンテンツアイテムを含む検索結果１５０を決定するために、比較プロセスを用いることができる。
【００２３】
規準１３０を満たすと見なされる複数の一致補足コンテンツアイテム１５２を含む、検索結果１５０をランディングプレゼンテーション１４０が提示することができる。さらに、元の補足コンテンツアイテム１２０に基づくかまたは関連するコンテンツをユーザに提示することができる。一実施形態において、ランディングプレゼンテーション１４０は補足コンテンツアイテムとのユーザ対話１２５が検出されたときに生成することができる。ランディングプレゼンテーション１４０は、例えば、新しいウエブページまたはタブ、あるいは、元のページと同時にスクリーン上に提示される新しいウインドウオーバーレイまたはサブウインドウオーバーレイに対応することができる。
【００２４】
シードコンテンツアイテムまたはユーザが見ていた元のコンテンツと同時に表示される二次プレゼンテーションのためのコンテンツアイテムを選択するために、比較プロセスが実施される。二次プレゼンテーションの例は、オーバーレイとして、またはシードコンテンツアイテムまたは見られているリソースの元のコンテンツに隣接する全体プレゼンテーション内の独立領域上に、同時に提示されるランディングページである。一実施形態において、ランディングページ(またはその他の二次プレゼンテーション)は、その内の少なくともいくつかは生成された規準を満たす、個別のコンテンツアイテムを含む。別のどこかで説明されるように、規準は、シードの画像コンテンツ、及び／またはシードに関連付けられたテキストまたはメタデータに基づくことができる。
【００２５】
一実施形態において、比較プロセスは一致プロセスというより相似プロセスである。相似性の判定においては、検索規準がそれから生成されるオブジェクト／コンテンツアイテムと同様に見えるオブジェクトに基づいてコンテンツアイテムとしてのオブジェクトが選択される(相似性タイプ比較または検索)。しかし、相似性比較の判定は補足コンテンツアイテムに表されたオブジェクトのレプリカまたは正確な一致を見いだすために規準１３０が用いられることを必ずしも意味しない。多くの場合、例えば、検索結果から正確な一致は排除し、いくつかの特徴(例えば形状または色)においては同様であるが他の特徴においては異なるオブジェクトを表すコンテンツアイテムを選ぶことができる。さらに、相似性比較はカテゴリー横断的に拡張することができる。例えば、あるカテゴリー(例えば靴)において補足コンテンツアイテムから規準１３０が生成された場合、検索結果１５０の選択されたコンテンツアイテムの少なくとも１つは、一実施形態の下では、異なるカテゴリー(例えばハンドバッグ)の同様に見えるオブジェクト、あるいはスタイルは一致するが色は一致する必要がないオブジェクト(例えばブルージーンズに合う黒い靴)に対応することができる。衣服の文脈においてはこれにより、靴をドレス／シャツに合わせる、あるいはズボンをシャツに合わせる、等のような衣服のアンサンブルの、ユーザによる識別が可能になる。異なるカテゴリーにわたる相似性検索の別の特定の例として、紐付きの赤い靴を表す補足コンテンツアイテムが赤い革のハンドバッグを識別する規準１３０を生成させる結果になり得る。一実施形態において、一致補足コンテンツアイテムの内の少なくともいくつかはそれぞれ、元の補足コンテンツアイテム１３０に現れるオブジェクトとビジュアル上同等のオブジェクトの画像を誘起する。さらに、一致補足コンテンツアイテム１５２には、例えば、画像内のオブジェクトが販売または商売のために提供されているネットワークサイトへのリンクまたはＵＲＬが含まれる。ブランド情報及び価格情報を含む、いくつかのテキストベース記述情報も提供され得る。
【００２６】
ランディングページ１４０には、元の補足コンテンツアイテム１２０を、さらに多くの情報について目立つ態様で再提示するかまたは提供することができる。ランディングページ１４０への言及は別の形態の二次プレゼンテーションに換えることができる。いずれの場合も、その効果は、補足コンテンツアイテムとのユーザの対話における連続性が維持されることであるが、ユーザの関心または注意は検索結果の同様のコンテンツアイテムに移り得る。例えば、元の補足コンテンツアイテム１２０におけるオブジェクトの画像は中央に、他の一致補足コンテンツアイテム１５２より大きく、表示することができる、ソースリンクまたはそのオブジェクトの商売のためのリンクを含む、記述説明を再提示とともに提供することもできる。
【００２７】
一実施形態にしたがえば、ランディングページ１４０により、ユーザが元のソースコンテンツアイテムに進むことが可能になり、ユーザが本来関心をもっていたオブジェクトへの可能な代替または追加を見ることも可能になる。すなわち、元の補足コンテンツアイテムはユーザが数多くの後続する選択を実施する結果をもたらすシードとしてはたらくことができる。
【００２８】
営利面に関し、補足コンテンツアイテムには一般に「クリック」または表明された効果に基づく費用が広告主に発生するが、別の課金構造も可能である。すなわち、元のまたはシードのコンテンツアイテム１２０には、表示されている広告コンテンツアイテムに関してさらに多くを知るためにシード補足コンテンツアイテムをユーザがクリックする回数に相関するいくらかの基本費用が広告主／スポンサーに発生するであろう。説明されるような実施形態により、ランディングページ１４０上に提供される補足コンテンツアイテムに対する課金構造をシードコンテンツアイテムの広告主が割り当てることが可能になる。シードコンテンツアイテムから表示されているランディングページ１４０のそれぞれの例は、広告主に課す費用のベースとなる効果としてカウントすることができるが、ランディングページ自体は広告主に対して収入源になる。特に、ランディングページ１４０により、シードコンテンツアイテムを提供する(またそのために支払う)ことによる支出が広告主に発生するが、次いで、ランディングページ１４０上に提供される一致補足コンテンツアイテム１５２及びその他のコンテンツからの広告主自体の収入を広告主が受け取ることが可能になる。一実施形態において、広告主は、一致補足コンテンツアイテム１５２のユーザクリックから実施される効果または表示に対してクライアントに課金することができる。必要に応じて、広告主はランディングページ上に現れている元の補足コンテンツアイテム１２０に対して課金することもできる。この結果は、単一のシード補足コンテンツアイテムに関連して関して表明される効果がランディングページ１４０上で複数の効果(または、いわゆる「クリック」)を発生させる得ることである。ランディングページは広告主のウエブ資産であるから、広告主は補足シードコンテンツアイテムのベーシスまたは費用を課金することができ、またその見返りを受け取ることができる。ランディングページ１４０が十分な数のユーザに１つないしさらに多くの一致補足コンテンツアイテムを見させることができれば、ランディングページ１４０は元のシードコンテンツアイテムに対して表明される効果に対するベーシス／費用より多くの収入を発生することができる。
【００２９】
図２Ａは本明細書に説明される１つないしさらに多くの実施形態を可能にするためのシステムを示す。図２Ａの実施形態の説明においては、説明されるシステムのコンポーネントともに用いるに適する要素の説明を与える目的のため、図１の１つないしさらに多くの実施形態を参照することができる。一実施形態において、システムは、コンパレータ２１０，プレゼンター２２０及びコンテンツライブラリ２３０を備える。システムは、補足コンテンツまたはウエッブページとのユーザ対話に関係付けられた何らかのトリガ(例えば、入力、ページを見ているユーザ)により検索規準を識別または生成する、規準コンポーネント２４０を備えることもできる。入力は、コード化されているかまたは前もって指定された補足コンテンツアイテムとのユーザの対話により生成される、トリガ２０４に対応することができる。一実施形態において、システムは広告主ネットワーク上に配布されるコード化補足コンテンツアイテムを生成する。ユーザ２０６がコード化シードコンテンツアイテム２０８の１つと対話すると、規準コンポーネント２４０がトリガ２０４を検出して対応する規準２４２を識別する。規準２４２は、コード化する(例えばあらかじめ決定する)ことができ、あるいはその場で動的に識別することができる。
【００３０】
ランディングプレゼンテーション１４０は、規準１３０を満たすと見なされる、複数の一致補足コンテンツアイテム１５２を含む検索結果１５０を提示することができる。さらに、元の補足コンテンツアイテム１２０に基づくかまたは関連付けられるコンテンツをユーザに提示することができる。一実施形態において、コンパレータは、規準を満たす補足コンテンツを補足コンテンツアイテムライブラリ２３０から決定または選択する際に規準２４２を用いる。先の実施形態とともに述べたように、補足コンテンツアイテムはそれぞれ、例えば、商品のオブジェクトを表すことができる。一実施形態において、商品のオブジェクトは、衣服、アパレル(靴及びハンドバッグ)、室内装飾材料、カーペット及び宝飾品のような、ビジュアルアイテムまたは真正アイテムに対応することができる。一実施形態において、コンパレータの検索には、規準２４２の受取りに応答してその場で動的に実施される、画像、テキスト及び／またはメタデータの解析が含まれる。すなわち、規準生成器２４０は、(補足コンテンツアイテム内に現れる画像への認識プロセスの実施による)認識サイン、テキスト規準から抽出されるキーワード、及び／または識別されたメタデータに対応する、画像検索規準２４２を生成することができる。規準コンポーネント２４０によって実施されるプロセスは、米国特許出願第１１／５４３７５８号及び第１１/７７７８９４号の各明細書(いずれも本明細書に参照として含まれる)に相当詳細に説明されている。コンパレータ２１０は、前もって決定された認識サイン、コンテンツ属性(例えば色及び形状)、キーワード及びメタデータを有する画像コンテンツを含む補足コンテンツアイテムを収める、データベースまたは構造化データ格納装置に相似性タイプ検索操作を行うために検索規準を用いることができる。一実施形態において、検索操作は、画像の認識サイン、色属性及び形状属性、キーワード一致またはメタデータ対応を比較するためにアルゴリズムが実行されるという点で、コンピュータ作業である。一致補足コンテンツアイテム１５２(図１)を決定するため、重み及びその他のパラメータ影響因子を組み入れることもできる。
【００３１】
別の実施形態において、検索結果の少なくともいくらかの部分は前もって決定され、補足コンテンツアイテムの識別子に関連付けられる。すなわち、コンパレータ２１０により実施される検索操作の少なくともいくらかの結果はシードコンテンツアイテムとともに含められた識別子または識別子群からの識別結果とすることができる。図１の実施形態を参照すれば、一実施形態は、(画像比較に対し)量的解析、テキスト一致、等を行わずにコンパレータ２１０の検索結果のアイテムの識別を可能にする、１つないしさらに多くの識別子を一致補足コンテンツアイテム１５２(図１)の少なくともいくらかに与えることができる態様を提供する。そのような実施形態により、トリガ２０６が検出されたときのコンピュータ集中作業の軽減が可能になる。むしろ、コンピュータ集中作業は前もって行われるであろう。
【００３２】
コンパレータ２１０は、一致補足コンテンツアイテム１５２(図１)を含む検索結果２１２をプレゼンター２２０に供給する。プレゼンター２２０は、シード補足コンテンツアイテム及び／または追加広告に関する細目のようなその他の情報とともに、検索結果を表示するランディングページまたはプレゼンテーション２２２を作成することができる。
【００３３】
図２Ｂは図２Ａで説明したような実施形態を実施するためのコンピュータハードウエアを示す。本明細書に説明される数多くの実施形態は複数のマシン及びネットワークサイトの間に分散させることができる。一実施形態において、(プロセッサ２７１及びメモリリソース２７３)を収めるサーバ２７２に対応するネットワークサービス２７０が、(画像／テキスト／メタデータ)解析作業にかけられたことがあるコンテンツアイテムのデータベース２７５を管理する。サービス２７０は、ウエブページまたはシード補足コンテンツアイテムを含むその他のコンテンツを表示するためにサーバまたはマシン２８５によって運用することができる加入者ドメイン２８０と交信することができる。シード補足コンテンツアイテムはサーバ２７０からドメイン２８０に送信することができ、あるいは(データ送信を介して)有効にすることができる。ユーザはユーザ自身のマシン２９０を操作して、ドメイン２８０からのウエブページを表示することができ、ウエブページまたはその補足コンテンツと対話して検索規準生成トリガを発生させることができる。検索規準は、ユーザ端末２９０上にランディングページ２８５を提示するために、サービス２７０によって用いられる。他の実施形態で述べたように、ランディングページ２８５(またはその他のプレゼンテーションメディア)は、生成された検索規準に対する検索結果(またはその一部)を含む。一実施形態において、サービス２７０は比較プロセスによる検索結果を決定を可能にするためのコンポーネントのいくらかまたは全てを備える。そのようなコンポーネントはコンパレータ２１０(図２Ａを見よ)に完全にまたはある程度対応することができる。同様に、サービス２７０は、ドメイン２８０とインターフェースし、ウエブページ上のプレゼンテーションに対する比較プロセスによる検索結果をドメインに送信し返すためにプレゼンター２２０(図２Ａを見よ)のいくらかまたは全てを備えることができる。
【００３４】
方法
図３は、一実施形態にしたがう、補足コンテンツアイテムの提供に関連する検索操作の使用を可能にする方法を示す。説明されるような方法は、図２Ａに示されるような実施形態の実施によって可能になり得る。したがって、説明されるステップまたはサブステップの実施に適する要素またはコンポーネントを説明する目的のため、図２Ａの要素が参照され得る。
【００３５】
ステップ３１０において、コード化された広告コンテンツまたは販促コンテンツを含むウエブページが表示される。広告コンテンツは様々な形態をとることができる。特定の例には、バナー広告、ダイナミックＨＴＭＬまたはフラッシュメディアがある。コンテンツは販売のための商品アイテムを、そのアイテムを示す画像オブジェクトとともに、表示することができる。示すことができる特定のアイテム部類には、アパレル、衣服及び宝飾品がある(ただし、これらには限定されない)。
【００３６】
１つないしさらに多くの実施形態は、補足コンテンツアイテムがシードとしてはたらくかまたは、そうではなくとも、(ｉ)検索規準及び／また(ii)検索結果のいくらかまたは全てを含むかまたは識別するためにコード化される、前処理ステップを提供する。例えば、画像内のオブジェクトの(属性の中でもとりわけ)(ｉ)識別サイン属性、(ii)形状属性及び／または(iii)色属性を識別するために、米国特許出願第１１/２４６５８９号及び第１１/５４３７５８号の明細書(いずれも本明細書に参照として含まれる)に説明されるような画像解析システムにより、補足コンテンツアイテムの画像を解析することができる。追加形態または別形態として、サイン、形状または色の決定のために画像内のオブジェクトの部分部分を個別に解析することができる。
【００３７】
ステップ３２０は広告(すなわちシード補足コンテンツアイテム)のユーザ選択(すなわち広告の上での「クリック」)を提供する。図２Ａの実施形態を参照すれば、クリックはトリガ２０４を発生させる。ユーザクリックはトリガ２０４を発生させ得る対話の単なる一例である。トリガ２０４を生じさせるユーザ対話またはイベントの他の例には、ホバリング、ページ上へのテキストのユーザ入力またはページ上に現れているコンテンツを見ているユーザの検出がある。したがって、別形態として、ユーザ選択は、ユーザの注意がそのアイテムに向けられていることが検出される、間接動作とすることができる。さらにまた、いくつかの実施形態は、ユーザからの選択は必要とされず、表示されている広告に関係付けられた何らかのトリガがその広告のユーザ選択と同様に扱われる態様を提供する。
【００３８】
ステップ３３０は、シード補足コンテンツアイテムとのユーザ対話(ステップ３２０)による検索結果の生成を提供する。図２Ａ(または図１)の実施形態で説明したように、シードコンテンツアイテムの画像、テキスト及び／またはメタデータは検索結果の生成における規準として用いられる。検索のいくらかまたは全ては前もって調製しておくかまたは識別しておくことができる。例えば、シード化コンテンツアイテムはあらかじめ決定された一致補足コンテンツアイテム１５２(図１)を表す識別子を含むことができ、あるいは、検索操作を実施するための規準及び／または検索操作はユーザ入力に応答して実施される。
【００３９】
ステップ３４０において、検索操作から得られた一致補足コンテンツアイテムを含むプレゼンテーションがユーザに提示される。プレゼンテーションはランディングプレゼンテーションの一部としてユーザに提供することができる。ランディングプレゼンテーションは見られているページの一部としてまたはそのページと同時に提供され得るが、１つないしさらに多くの実施形態は、ランディングプレゼンテーションがそれ自体の動的に生成されたウエブページまたはコンテンツである態様を提供する。ランディングページの一部として提供され得るその他のコンテンツには、元のシードコンテンツアイテムについての追加の情報及びコンテンツ、広告、あるいは広告主または関係会社へのスポンサーリンクがある。
【００４０】
多くの利用シナリオにおいて、ランディングページとのユーザ対話は進行性または反復可能とすることができる。例えば、第１の検索結果を含む開始ランディングページがユーザに提示され得る。以降、ユーザはそのランディングページから選択を行うことができる。１つないしさらに多くの実施形態にしたがえば、ユーザの第２の(及び以降の)選択の結果、新しい相似性タイプ比較検索が実施され、ランディングページは新しいコンテンツアイテムによって完全にまたは一部がリフレッシュされて、ユーザはその新しいコンテンツアイテムからさらに選択することができる。
【００４１】
ランディングページ(またはその他の二次プレゼンテーション)のリフレッシュ操作は、選択されたランディングページ上のアイテムが次いでシード補足コンテンツアイテムとして扱われることを除き、図３で説明したような手法にしたがうことができる。すなわち、ランディングページ上のアイテムの内の選択されたアイテムが規準を生成するために用いられる。別の実施形態において、全クリック履歴が検索規準として用いられ得るであろうし、あるいは(例えばウエブブラウザクッキーによって、ユーザが一意的に識別されていれば)相異なる期間における同じユーザによる過去の履歴さえも用いられ得るであろう。いくつかの実施形態において、新しくつくられたプレゼンテーションを介するユーザクリックが記録にとられて、規準(例えば、識別スタイル、価格帯、色の好み、等)を改訂するために用いられる。クリック履歴は最近の対話についての履歴とすることができ、あるいはさらに以前の履歴またはセッション(例えば、ｅ-コマースポータルへの過去のアクセス、ｅ-コマースサイトへの過去のアクセス)について維持することができる。１つないしさらに多くの別の実施形態で述べたように、規準は選択されたコンテンツアイテムとともに含まれる画像コンテンツに(また、テキストまたはメタデータにも)少なくともある程度は基づく。選択されたコンテンツアイテムは、元のシードコンテンツアイテムに続いて、または元のシードコンテンツアイテムの代わりに、目立つ態様で提示もされ得る。ランディングページは、ランディングページ上の選択されたコンテンツアイテムに関連付けられているかまたはそのコンテンツアイテムから生成された規準を満たす１つないしさらに多くのコンテンツアイテムを含めるためにリフレッシュされる。ユーザはランディングページ(またはその他の二次プレゼンテーション)からアイテムを選択し続けることができ、ランディングページをリフレッシュさせるプロセスを反復することができる。利点の中でもとりわけ、いくつかの実施形態は、ランディングページ(またはその他の二次プレゼンテーション)のプロバイダがランディングページ上に現れているプロバイダまた個々のコンテンツアイテムに「クリック」に対して課金できることを認識する。他方で、ランディングページを提供する費用は、元のシードコンテンツアイテムに関連付けられる単クリックに関連付けられるだけとすることができる。さらに、ランディングページ(またはその他の二次プレゼンテーション)は非常に適切なアイテムを表示することができ、シードコンテンツアイテムまたはシードコンテンツアイテムを含むプレゼンテーション(すなわち元のウエブページ)と同時に表示され得る。このようにすれば、ユーザは、元のページから連れ出されることなく、ランディングページと対話して関心のある商品コンテンツを見ることができる。
【００４２】
図４は、本明細書に説明される１つないしさらに多くの実施形態のランディングページ(図１も見よ)の実施形態を示す。ランディングページは、ユーザが見ているウエブページ上に現れている、バナー広告のような、シードコンテンツアイテムのユーザ選択に応答して生成することができる。ユーザがバナー広告を選択すると、２つのタイプのコンテンツを含むようにランディングページ１４０を生成することができる。第１に元のシードコンテンツのオブジェクトに関する情報が最も目立つように表示される。売買の対象である場合、この情報は売買対象品の画または一連の画を示すことができる。さらに、対象を購入するかまたは対象についてより多くを知るためのテキスト情報及びリンクが提供され得る。第２に、シードコンテンツアイテムに関する情報の下に一致補足コンテンツアイテムを示すことができる。一実施形態において、一致補足コンテンツアイテムは、シードコンテンツアイテムのオブジェクトから識別された１つないしさらに多くの規準を満たす別のオブジェクトのサムネイルまたは画像に対応することができる。テキスト、リンク等も提供され得る。それぞれの一致補足コンテンツアイテムは、追加情報が提供されるウインドウを示すために拡大することができる。あるいは、一致補足コンテンツアイテムが選択される毎に、別個のランディングページが生成され得る。ランディングページは新しく選択された一致補足コンテンツアイテムを見立つ表示アイテムとして扱うことができる。さらにまた、一致補足コンテンツアイテムの選択は新しい検索操作を起動させることができ、選択された一致補足コンテンツアイテムは(提示されたランディングページ上、リフレッシュされたランディングページ上、または異なるランディングページ上で)目立つように表示される。説明した実施シナリオに対する数多くの別形及び変形も提供され得る。
【００４３】
追加形態または別形態として、他の実施形態で説明されるようなランディングプレゼンテーションは、結果(すなわち一致補足コンテンツアイテム１５２)がいくつかの条件に応じて変わり得るという点で、動的であり得る。そのような条件には一致補足コンテンツアイテムの１つに関するユーザ選択がある。一実施形態において、このイベントの結果、元のシードコンテンツアイテムが一致補足コンテンツアイテムで置き換えられ、一致補足コンテンツアイテムのいくつかまたは全てが最も最近選択された補足コンテンツアイテムに一致すると見なされる別の結果で置き換えられる。一致補足コンテンツアイテムの変更を生じさせ得る他の条件には、例えば、(ｉ)時間の経過、(ii)ランディングプレゼンテーション上に現れているいずれかのコンテンツアイテムのユーザ選択によってトリガされるリフレッシュ操作、または(iii)新しい結果を見るための補足コンテンツアイテムのユーザの手動選択または補足コンテンツアイテム上のホバリングがある。
【００４４】
上述した実施形態はページの形態の「ランディングページ」を提供するが、説明される実施形態のいずれも、ウインドウ、オーバーレイまたはダイナミックメディアレンダリングの形態、あるいはその他のプレゼンテーションの形態にあるランディングページを提供することができる。説明されるように、いくつかの実施形態は、ユーザを今見ているページから連れ出さない態様でランディングページ(あるいはオーバーレイまたはウインドウ)を提示するという利点を提供することができる。
【００４５】
ｅ-コマースサイトのための推奨エンジン
説明される実施形態への変形において、商品アイテムをユーザ／消費者に推奨するために、推奨エンジンがｅ-コマースサイトに関連して作動することができる。商品アイテムの推奨には、ユーザが購入を考えているかまたは関心を示したアイテムに見た目が一致する商品アイテムの識別を含めることができる。一実施形態において、ユーザが購入しようとしているかまたは関心を示したアイテムが在庫切れの場合に、同様の商品アイテムがユーザに推奨される。別の実施形態において、関心のある商品アイテムを補填または代替することができる別のアイテムにユーザの関心を向けさせるために、商品アイテムを表すコンテンツがユーザに表示される。例えば、説明されるような実施形態は、ユーザが購入しようとしているアイテムと一致するかまたは具合がよいであろうｎ個のアイテムに実施することができる。衣服の場合、推奨される商品アイテムはユーザが関心をもつアイテムとは異なるカテゴリーのものであり得る(選ばれた宝飾品に合う衣服、関心がある靴のためのセーター、等を推奨することがあり得る)。
【００４６】
ユーザがウエブ店頭においてオンライン商品アイテムを見ている場合(商品アイテムが、サイズまたは色を含めて、購入のために選択され得るベンダーウエブサイトでページを見る場合)、本明細書に説明されるいくつかの実施形態は、そのウエブ店頭のウインドウまたはオーバーレイまたはページ上に見た目が一致する商品アイテムを表示するプレゼンテーションを生成することができる。そのようなプレゼンテーションは関心のある商品アイテムを含むウエブページと同時に表示することができる。例えば、プレゼンテーションは、関心のある商品アイテムとともにまたはその近傍に提示される同時オーバーレイまたは統合オブジェクトの形態で提供され得る。ユーザの関心が消えた場合に、一致商品アイテムは今見ているアイテムに対する代替アイテムとしてユーザに提示することができる。例えば、オンライン商人は特定のサイズまたは色について全てのアイテムを在庫にもっていないことが多い。店頭において客を失うよりは、ランディングページと同類のプレゼンテーションをウエブページの一部にオーバーレイし、ユーザが購入を考えているアイテムと見た目が一致する代替アイテムをユーザに提示することができる。ユーザが本来関心をもっていたアイテムが販売に間に合わない(すなわち、ユーザの所望のスタイルまたはサイズが商人の在庫切れである)場合、ユーザは、商品アイテムに対する一致アイテムが示されているオーバーレイに関心が引き付けられ得る。
【００４７】
一実施形態において、ウエブサイト運営者がウエブページのオーバーレイまたは統合領域として一致コンテンツを提供することで商機を失わないように、ウエブサイト運営者によって一致コンテンツアイテムが提供されることもある。一致コンテンツアイテムは、アイテムが在庫切れの場合にｅ-コマース運営者が商機を失わないように、ｅ-コマース運営者が販売のために提示できるカタログアイテムとすることができる。
【００４８】
したがって、いくつかの実施形態は、ユーザが関心をもった本来の商品アイテムから生成された１つないしさらに多くの規準を満たす代替商品アイテムを表示する、店頭ウエブオーバーレイまたは一体化オブジェクトを提供する。一実施形態において、規準はビジュアルであり、関心がもたれた商品アイテムの見かけに、または商品アイテムの１つないしさらに多くの特徴(形状、色、風合い、靴のバックルのような共通の同じ予備的特徴)に、一致する。説明されるようなシステムは、関心がもたれた商品アイテムがシードとしてはたらき、一致コンテンツアイテムのオーバーレイがいわゆるランディングページの代替となり得る、説明される他の実施形態とのいずれとも矛盾のない態様で実施することができる。しかし、オーバーレオランディングページは特定の商品アイテムへのユーザの関心を示すイベントに応答して生成され得る。例えば、ユーザは、販売のために商品アイテムを表示することができ、ユーザによる色、配達種別、サイズ、等の選択を可能にする、ページを開くことができる。
【００４９】
そのようなシステムの実施において、タイプ及び種類によるオブジェクトの類別を含む、類別及びビジュアルな特徴の抽出を行うために商人の在庫に認識プロセスを実行することができる。ある商品アイテムが関心をもたれているアイテムとして検出されると、関心がもたれたアイテム及び商品在庫の両者の前もって定められたビジュアルな特徴に基づいて自動的にまたはプログラムによりオーバーレイが生成され得る。
【００５０】
また別の変形において、ユーザが注文したいアイテムが在庫切れである場合におけるように、一致商品アイテムの在庫オーバーレイを選択的に表示することができる。商人は、客を失うよりは、客の関心をかきたてることができる別の製品に客を誘導するためにオーバーレイを用いるであろう。
【００５１】
図５は、一実施形態にしたがう、購入時にユーザに商品アイテムを推奨するためのシステムを示す。推奨エンジン５２０は(例えば、衣服、宝飾品、家具、等のための)ｅ-コマースサイト５３２上で作動する。ｅ-コマースサイト５３２は、ユーザが端末５４０を操作してカタログ５０２から商品アイテムを購入することを可能にすることができる。カタログ５０２の商品アイテムは、個々の商品アイテムに関する画像、テキスト及びメタデータのようなコンテンツを含む、関連付けられたコンテンツアイテムによって表示するかまたは売りに出すことができる。カタログ５０２内の商品アイテムのコンテンツはデータベース５１０に維持することができる。例えば、商品アイテムは一足の靴に対応することができ、コンテンツデータベース５１０は、その靴を説明する、画像、テキスト及びメタデータを含む、記録を格納することができる。
【００５２】
推奨エンジン５２０は関心がもたれた商品アイテムのコンテンツ(「関心がもたれた商品コンテンツアイテム５２２」)を識別するためにｅ-コマースサイト５３２で動作することができる。これらには、特定の商品アイテムを見るため及び／または商品アイテムを購入するために端末８４０を介してユーザが行う選択を含めることができる。推奨エンジン５２０は、コンテンツデータベース５１０上で比較５１２を行うため、関心がもたれた商品コンテンツアイテム５２２から得られる画像、テキストまたはメタデータを用いることができる。推奨エンジン５２０は、結果５１４を決定するため、関心がもたれた商品コンテンツアイテム５２２に比較５１２を行う。結果５１４は関心がもたれた商品コンテンツアイテム５２２に一致するかまたは同様の別の商品アイテムのコンテンツに対応する。比較５１２は、一致するかまたは同様のコンテンツを含む結果５１４を見いだすため、規準の生成または関心がもたれた商品コンテンツアイテム５２２に関連付けられた規準の識別を推奨エンジン５２０に要求し得る。推奨コンテンツアイテム５２４は、少なくともいくらかが、関心がもたれた商品コンテンツアイテム５２２と、一体化されているか、合体されているか、そうではなくとも表示される、結果５１４によって提供される。次いで、ユーザは推奨コンテンツアイテム５２４に実際に関心をもてば、それらのアイテムを選択するか、そうではなくともそれらのアイテムと対話することができる。
【００５３】
図６は、１つないしさらに多くの実施形態にしたがう、商品コンテンツアイテムをユーザに推奨する方法を示す。図６の実施形態の説明において、ステップまたはサブステップを説明する目的のため、図５の実施形態が参照される。
【００５４】
ステップ６１０において、ｅ-コマースサイト５３２で提供される商品アイテムに関するユーザの関心がモニタされる。例えば、ユーザは特定のアイテムについてのページを見ることができ、あるいはショッピングカートにそのアイテムを入れることができる。ステップ６２０において、商品アイテムに関連付けられたコンテンツの決定が提供される。この規準は、商品アイテムの画像コンテンツ(例えば、そのアイテムの１つないしさらに多くの図面またはスナップ写真)から、またテキスト及び／またはメタデータからも、決定することができる。規準は前もって決定しておくことができ、あるいはその場で動的に決定することができる。
【００５５】
ステップ６３０において、ユーザに推奨される他の商品アイテムが提供される。ユーザに対して推奨される商品アイテムを識別するために画像解析／認識を行うことができる。さらに、テキスト／メタデータ解析を行うことができる。一実施形態において、説明される(または推奨エンジン５２０によって実施されるような)方法は、在庫切れまたは入手できない、関心をもたれたアイテムに応答して実施される。そのような実施形態において、サブステップ６３４は在庫切れプレゼンテーションのユーザへの表示を提供する。例えば、関心をもたれたアイテムがユーザの必要な色またはサイズで入手できないことがあり、その場合、同様に見えるアイテムを代替として表示することができる。同様に見えるアイテムは、在庫切れアイテムに一致するか最も同様であると見なされることから、あるいは同様であるかまたは同じ価格帯(テキスト／メタデータ解析)または仕立て(テキスト／メタデータ解析)のアイテムであることから、選択され得る。
【００５６】
変形として、サブステップ６３６は代替購入をユーザに提供するための推奨商品アイテムの表示を提供する。例えば、代替アイテムは、より高価であるか、または他の客により好まれるアイテムとすることができる。別の変形として、サブステップ６３８は関心がもたれた商品アイテムのカテゴリーとは異なるカテゴリーの商品アイテムを含む推奨アイテムを提供する。衣服の場合、例えば、カテゴリーは、ブラウス／シャツ、ズボン／パンタロン、ドレス、スカート、(男性のまたは女性の)靴、宝飾品、アパレル、コートまたは帽子に対応し得る。あるカテゴリーにおけるユーザの関心は本来関心をもたれた商品アイテムと同類の別のカテゴリーからの推奨コンテンツアイテムという結果をもたらし得る。例えば、女性の靴はブラウスと(男性のスーツより)同類であると見なされ得る。この、結果５１４(図５)は、推奨コンテンツアイテム５２４が同類のカテゴリーからのアイテムを含むことを保証するためにテキスト／メタデータを受け入れることができる。
【００５７】
いくつかの実施形態にしたがえば、商品アイテムの推奨(６３０)は本来関心をもたれた商品アイテムを含むリソース／ページと同時の、または統合された、プレゼンテーションを用いて実施することができる。一実施形態において、プレゼンテーションは本来関心をもたれた商品と同時に提示(例えばオーバーレイ)され得る。さらにまた、プレゼンテーションは本来関心をもたれたアイテムを含むウエブページまたはリソース内に統合することができる。
【００５８】
変形または別形として、ユーザは商人からの商品アイテムを見るためにポータルサイトまたはアグロメレーションサイトを利用することができる。ポータルサイトにおけるユーザの関心のある商品アイテムの選択は、ユーザを商人サイトに誘導することができる。しかし、推奨商品アイテムは、商人サイトにおける関心のある商品アイテムのプレゼンテーションと同時に、またはそのプレゼンテーションとは別個に、元のポータルサイトからのプレゼンテーション内に表示することができる。
【００５９】
図７は、ウエブ商人に対する店頭としてはたらくウエブページに関連して生成された、プレゼンテーション７１０を示す。プレゼンテーション７１０は、下敷きの店頭ページ７２０の一領域上に提供される、オーバーレイの形態にあることができる。店頭において、ユーザはユーザを心変わりさせるかまたは購入の気持ちをそらせる情報に遭遇することがあり得る。例えば、買い手のサイズまたは好みの色のアイテムは入手できないことがあり得る。プレゼンテーション７１０は、本来関心のあるアイテムに対する代替または置換としてはたらくことができる一致商品アイテムをユーザに提示することができる。また別の変形として、プレゼンテーション７１０は、ユーザが現在購入を計画しているアイテムを補足する商品アイテムを含む一致アイテムを含むことができる。プレゼンテーション７１０に示されるアイテムの全ては、同じ商人または同じ運営母体または同じサイトから提供され得る。
【００６０】
結論
例示実施形態を、添付図面を参照して本明細書で詳細に説明したが、説明した実施形態が挙げられた特定の例に限定されないことは当然である。したがって、ある実施形態で説明された特徴の、そのような特徴への言及がなされていない、別の実施形態への整合を含む、多くの改変及び変形が可能である。さらに、個々にまたはある実施形態の一部として説明された特定の特徴は、他の個々に説明された特徴と、または他の実施形態の一部と、それらの他の特徴または実施形態がその特定の特徴に全く言及していなくとも、組み合わせることができる。
【符号の説明】
【００６１】
１１０    ネットワークリソース
１２０    補足コンテンツアイテム
１２５    ユーザ対話
１３０，２４２    検索規準
１３２    画像規準
１３４    テキスト規準
１３６    メタデータ規準
１４０    ランディングプレゼンテーション
１５０    検索結果
１５２    一致補足コンテンツアイテム
２０４    トリガ
２０６    ユーザ
２０８    コード化シードコンテンツアイテム
２１０    コンパレータ
２１２    検索結果
２２０    プレゼンター
２３０    コンテンツライブラリ
２４０    規準コンポーネント
２７０    ネットワークサービス
２７１    プロセッサ
２７３    メモリリソース
２７５    データベース
２８０    加入ドメイン
２８２    サーバ
２８５    ランディングページ
２９０    ユーザ端末
５０２    カタログ
５１０    データベース
５２０    推奨エンジン
５２２    関心がもたれた商品コンテンツアイテム
５２４    推奨コンテンツアイテム
５３２    ｅ-コマースサイト
５４０    端末
７１０    プレゼンテーション
７２０    店頭ページ
【図１】
0005389168.tif 000002
【図２Ａ】
0005389168.tif 000003
【図２Ｂ】
0005389168.tif 000004
【図３】
0005389168.tif 000005
【図４】
0005389168.tif 000006
【図５】
0005389168.tif 000007
【図６】
0005389168.tif 000008
【図７】
0005389168.tif 000009